【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
ＲＦ伝送信号を受信するＲＦ入力ポートと、ＲＦ受信信号を受信し、該ＲＦ伝送信号を送信するＲＦ送受信兼用ポートと、ＲＦ出力ポートとを有する分布増幅器を備える電気送受信兼用信号インターフェースであって、該分布増幅器は、該ＲＦ受信信号を該ＲＦ出力ポートに実質的に非可逆的に結合し、該ＲＦ伝送信号を該ＲＦ送受信兼用ポートに移す、信号インターフェース。
【請求項２】
前記ＲＦ伝送信号の実質的に全ては、前記ＲＦ送受信兼用ポートに移る、請求項１に記載の信号インターフェース。
【請求項３】
前記ＲＦ送受信兼用ポートは、実質的に同時に、前記ＲＦ受信信号を受信し、前記ＲＦ伝送信号を移す、請求項１に記載の信号インターフェース。
【請求項４】
前記ＲＦ送受信兼用ポートに電気的に接続されたアンテナをさらに備える、請求項１に記載の信号インターフェース。
【請求項５】
信号を送信および受信する方法であって、
該方法は、
ＲＦ送受信兼用ポートにおいてＲＦ受信信号を受信することと、
ＲＦ入力ポートにおいてＲＦ伝送信号を受信することと、
非可逆的に該ＲＦ受信信号をＲＦ出力ポートに電気的に結合し、該ＲＦ伝送信号を該ＲＦ送受信兼用ポートに移すことと
を包含する、方法。
【請求項６】
前記ＲＦ送受信兼用ポートにおいてＲＦ受信信号を受信することと、前記ＲＦ伝送信号をＲＦ送受信兼用ポートに移すこととは、実質的に同時に実行される、請求項５に記載の方法。
【請求項７】
前記ＲＦ受信信号をＲＦ出力ポートに電気的に結合することは、該ＲＦ受信信号を増幅することを包含する、請求項５に記載の方法。
【請求項８】
前記分布増幅器は、一方向に利得を有し、他の方向に実質的な損失を有するように構成される、請求項１に記載の電気送受信兼用信号インターフェース。
【請求項９】
前記分布増幅器は、高利得広帯域幅増幅器を含む、請求項１に記載の電気送受信兼用信号インターフェース。
【請求項１０】
前記分布増幅器は、複数の増幅器段に電気的に結合された第１および第２の進行波導波路を備える、請求項１に記載の電気送受信兼用信号インターフェース。
【請求項１１】
前記分布増幅器の複数の増幅器段の出力は、前記第２の進行波導波路に沿って配置されたタップを供給することによって互いに結合される、請求項１０に記載の電気送受信兼用信号インターフェース。
【請求項１２】
前記第１の進行波導波路の出力部は、特性インピーダンスにより終端されている、請求項１０に記載の電気送受信兼用信号インターフェース。
【請求項１３】
前記ＲＦ入力ポートは、前記第１の進行波導波路の入力部に電気的に接続されており、前記ＲＦ送受信兼用ポートは、前記第２の進行波導波路の出力部に電気的に接続されており、前記ＲＦ出力ポートは、該第２の進行波導波路の入力部に電気的に接続されている、請求項１０に記載の電気送受信兼用信号インターフェース。
【請求項１４】
前記ＲＦ入力ポートは、前記第１の進行波導波路の出力部に電気的に接続されており、アンテナは、該第１の進行波導波路の入力部に電気的に接続されており、前記ＲＦ出力ポートは、前記第２の進行波導波路の出力部に電気的に接続されている、請求項１０に記載の電気送受信兼用信号インターフェース。
【請求項１５】
前記ＲＦ伝送信号の実質的に全ては、前記ＲＦ送受信兼用ポートに移る、請求項５に記載の方法。
【請求項１６】
前記ＲＦ送受信兼用ポートにおいてＲＦ受信信号を受信することは、アンテナで該ＲＦ受信信号を受信することを包含する、請求項５に記載の方法。
【請求項１７】
前記非可逆的にＲＦ受信信号をＲＦ出力ポートに電気的に結合することは、該受信信号におけるエネルギーの一部を取り出すことと、該エネルギーの取り出された一部を低利得増幅器段に供給することにより、増幅された出力信号を生成することとを包含する、請求項５に記載の方法。
【請求項１８】
前記ＲＦ伝送信号の一部を前記ＲＦ出力ポートからブロックすることをさらに包含する、請求項５に記載の方法。
【請求項１９】
進行波電極構造と、光ビームを受信する光入力部と、ＲＦ受信信号を受信するＲＦ入力ポートと、光出力ポートとを有する電気光学変調器を備える低雑音送受信兼用信号インターフェースであって、該進行波電極構造は、一端部において一インピーダンスで終端されており、該電気光学変調器は、該光出力ポートにおいて該ＲＦ受信信号によって変調された光信号を生成し、該進行波電極構造は、該信号インターフェースの雑音指数を低減する、信号インターフェース。
【請求項２０】
前記インピーダンスは、前記進行波電極構造の特性インピーダンスを含む、請求項１９に記載の低雑音送受信兼用信号インターフェース。
【請求項２１】
前記光入力部に光学的に結合された出力部を有するレーザをさらに備える、請求項１９に記載の低雑音送受信兼用信号インターフェース。
【請求項２２】
前記レーザは、固体レーザを含む、請求項２１に記載の低雑音送受信兼用信号インターフェース。
【請求項２３】
前記レーザは、無視できるレベルで相対強度雑音（ＲＩＮ）を生成する、請求項２１に記載の低雑音送受信兼用信号インターフェース。
【請求項２４】
前記電気光学変調器は、マッハツェンダ型の光変調器を含む、請求項１９に記載の低雑音送受信兼用信号インターフェース。
【請求項２５】
前記マッハツェンダ型の光変調器は、０．３Ｖよりも低いＶπを有する、請求項２４に記載の低雑音送受信兼用信号インターフェース。
【請求項２６】
前記ＲＦ受信信号は、前記インピーダンスにより生成される雑音から分離されている、請求項１９に記載の低雑音送受信兼用信号インターフェース。
【請求項２７】
前記ＲＦ受信信号を受信する前記ＲＦ入力ポートに電気的に結合された出力部を有する低雑音増幅器をさらに備える、請求項１９に記載の低雑音送受信兼用信号インターフェース。
【請求項２８】
前記低雑音増幅器は、２ｄＢ未満の雑音指数を有する、請求項２７に記載の低雑音送受信兼用信号インターフェース。
【請求項２９】
低雑音送受信兼用信号インターフェースで受信信号を受信する方法であって、
該方法は、
ａ．ＲＦ入力ポートにおいてＲＦ受信信号を受信することと、
ｂ．該ＲＦ受信信号を該ＲＦ入力ポートから電気光学変調器の進行波電極構造に伝播することであって、該進行波電極構造は、一端部において一インピーダンスで終端されている、ことと、
ｃ．該電気光学変調器の光導波路を介して光ビームを伝播することと、
ｄ．該ＲＦ受信信号で該光ビームを変調することであって、該受信信号は、該インピーダンスにより生成される雑音から分離されている、ことと
を包含する、方法。
【請求項３０】
前記インピーダンスは、前記進行波電極構造の特性インピーダンスを含む、請求項２９に記載の方法。
【請求項３１】
前記光ビームは、連続波光ビームを含む、請求項２９に記載の方法。
【請求項３２】
前記光ビームは、パルス光ビームを含む、請求項２９に記載の方法。
【請求項３３】
前記光ビームは、無視できるレベルで相対強度雑音（ＲＩＮ）を有する、請求項２９に記載の方法。
【請求項３４】
前記電気光学変調器は、マッハツェンダ型の光変調器を含む、請求項２９に記載の方法。
【請求項３５】
前記マッハツェンダ型の光変調器は、０．３Ｖよりも低いＶπを有する、請求項３４に記載の方法。
【請求項３６】
前記ＲＦ受信信号を受信する前に、低雑音増幅器で該ＲＦ受信信号を増幅することをさらに包含する、請求項２９に記載の方法。
【請求項３７】
前記低雑音増幅器は、２ｄＢ未満の雑音指数を有する、請求項３６に記載の方法。